(57)【要約】      （修正有）【課題】障子紙を戸枠の窪み面の内側縁に沿って常に凹凸なく直線上に美麗にカットできる、障子紙切断器を提供する。【解決手段】前方を直角に折り曲げ、平板１の両側にガイド壁２を設け、該平板１のほぼ中央部にネジ穴を穿設して成るガイド板６と、該ガイド板６の両側に設けられたガイド壁２の間の平板１の面をスライドする巾に形成し、前方にはカッター差し込み穴８を設けるとともに基部側には、前記ガイド板６に穿設したネジ穴３をのぞかせて成る細長溝９を穿設したスライド板７とから成り、ガイド板２に穿設したネジ穴とスライド板７に穿設した細長溝９をのぞませて摺動自在にはめ込み、前記スライド板７とガイド板６とをボルトとナットで摺動、並に固定自在となるよう配置した障子紙切断器。【選択図】図１
2005073999.tif 000002
【特許請求の範囲】
【請求項１】
前方を短い折り曲げ片として直角に折り曲げ、折り曲げ片を折り曲げた部分から基部にかけての平板部分の両側にガイド壁を設けて成り、該平板のほぼ中央部にネジ穴を穿設して成るガイド板と、該ガイド板の両側に設けられたガイド壁の間の平板の面をスライドする巾に形成し、前方には前記ガイド板の短い折り曲げ片を折り曲げた直角の折り曲げ部と平行にカッター差し込み穴を設けるとともに基部側には、前記ガイド板に穿設したネジ穴をのぞかせて前記ガイド板のガイド壁に平行して成る細長溝を穿設したスライド板とから成り、該スライド板を前記ガイド板のガイド壁を設けた平板の面に長手方向に沿ってガイド板に穿設したネジ穴とスライド板に穿設した細長溝をのぞませて摺動自在にはめ込み、前記スライド板とガイド板とをスライド板の長溝側からガイド板のネジ穴にボルトを挿通し、ガイド板のネジ穴側でボルトの先端部にナットを螺着して、ガイド板の平板にスライド板が摺動並に固定自在となるよう配置したことを特徴とする障子紙切断器。
【発明の詳細な説明】
【技術分野】
【０００１】
本発明は、障子紙の張り替え作業を行うのに際して、障子の戸枠とその内側の桟戸に亙って貼り付けられた障子紙を、戸枠の内側縁に沿って切断するための障子紙切断器に関する。
【背景技術】
【０００２】
障子の障子紙は、破れたりくすんだりした際に、その張り替えが繰り返し行われる。障子紙の張り替えの際には、障子の戸枠表面とその内側の格子状をした桟表面とに亙って、帯状をした障子紙を糊等を用いて貼り付けている。障子紙は、障子の戸枠表面とその内側の桟表面とに亙って貼り付けた後に、その帯状をした障子紙を、戸枠表面の内側に沿って連続して形成された帯状の浅い窪み面内側縁に沿って、カッターにより切断している。
【０００３】
その場合には、戸枠表面と桟表面とに亙って貼り付けられた障子紙を介して、戸枠表面に物指しなどの定規を押し当てている。そして、その定規の長手方向を向く一方の側縁を、戸枠の内側縁直上に位置させている。そして、内側縁直上に位置させた定規の一方の側縁にカッターの胴部を押し当てるようにして、そのカッターを定規の一方の側縁に沿って直線上にスライドさせている。そして、そのカッターの刃部により、帯状をした障子紙を、戸枠表面の内側に形成された内側縁に沿って直線上に切断している。
障子紙切断器については、これまで特開２００２−２７３６８５号公報に記載されている障子紙切断器が公知になっっている。
【特許文献１】特開２００２−２７３６８５号公報
【発明の開示】
【発明が解決しようとする課題】
【０００４】
しかしながら、上記のようにして、障子紙を切断した場合には、その障子紙を、戸枠の内側縁に沿って、常に的確に凹凸なく直線上に美麗に切断することがむずかしく、その障子紙の切断作業に困難を極めた。
【０００５】
その原因は、定規を当てがう戸枠表面が、不透明な障子紙で覆われているからでる。そのために、その定規の一方の長手方向の側縁を、目視等により、戸枠の窪み面の内側縁に沿って、その窪み面の内側縁直上に正確に位置させて、当てがうことが困難であったからである。また、その戸枠の窪み面の内側縁直上に沿って当てがった定規の一方の側縁に、カッターの胴部を常に隙間なく確実に密着させて、そのカッターを定規の一方の側縁に沿って直線上にスライドさせることが、極めて困難であったからである。そして、その定規の一方の側縁に沿ってスライドさせたカッターの胴部が、そのスライド途中で、定規の一方の側縁からしばしば離れてしまうからである。
また、障子の張り替え時に使用する特開２００２−２７３６８５号公報に記載された障子紙切断器は構造が複雑で、実用には適さない。
【０００６】
本発明は、このような課題を解消可能な、障子紙を戸枠の窪み面の内側縁に沿って常に凹凸なく直線上に美麗にカットできる、障子紙切断器を提供することを目的としている。
【課題を解決するための手段】
【０００７】
前方を短い折り曲げ片として直角に折り曲げ、折り曲げ片を折り曲げた部分から基部にかけての平板の両側にガイド壁を設けて成り、該平板のほぼ中央部にネジ穴を穿設して成るガイド板と、該ガイド板の両側に設けられたガイド壁の間の平板の面をスライドする巾に形成し、前方には前記ガイド板の短い折り曲げ片を折り曲げた直角の折り曲げ部と平行にカッター差し込み穴を設けるとともに基部側には、前記ガイド板に穿設したネジ穴をのぞかせて前記ガイド板のガイド壁に平行して成る細長溝を穿設したスライド板とから成り、該スライド板を前記ガイド板のガイド壁を設けた平板の面に長手方向に沿ってガイド板に穿設したネジ穴とスライド板に穿設した細長溝をのぞませて摺動自在にはめ込み、前記スライド板とガイド板とをスライド板の長溝側からガイド板のネジ穴にボルトを挿通し、ガイド板のネジ穴側でボルトの先端部にナットを螺着して、ガイド板の平板にスライド板が摺動並に固定自在となるよう配置した障子紙切断器。
【発明の効果】
【０００８】
本発明による障子紙切断器は、ボルトとナットの締付け操作によって簡単にスライド板のカッター差し込み位置をガイド板の折り曲げ片から任意に設定し、固定することができる。従って、この障子紙切断器を以てする障子の張り替え作業を行うときは、誰でもが容易に障子の戸枠に張られた障子紙を戸枠の角面に平行に切り取ることができる。
【発明を実施するための最良の形態】
【０００９】
図１、図２は本発明の障子紙切断器の好適な実施の形態を示し、図１はその斜視図、図２はその使用状態を断面図である。以下に、この障子紙切断器を説明する。
【００１０】
図の障子紙切断器は、障子の戸枠表面とその内側の格子状の桟表面とに亙って貼り付けられた帯状をした障子紙を、戸枠表面の内側に連続して帯状に形成された窪み面の直線状をした内側縁に沿って凹凸なく直線上に切断するのに用いられる。
【００１１】
この障子紙切断器は、一方の手に握ることの可能なガイド板と、そのガイド板の上面の長手方向の下方に摺動するスライド板をガイド板の折り曲げ片に逆Ｌ字状に延設され、その延長部にカッターを差し込む穴を設けた構成となるようにしてある。
ガイド板は手で握る部分であり、スライド板は障子紙を介して戸枠に押し当てる部分である。
ガイド板とスライド板とは、ボルトとナットの締付加減を操作することによって摺動固定が自由に行える構成となっている。
【００１２】
図１、図２は本発明の障子紙切断器の好適な実施の形態を示し、図１はその斜視図を示し、図２は本発明にかかる障子紙切断器の使用状態を説明する断面図である。
【００１３】
本発明にかかる図１に示す障子紙切断器は、図２に示すように障子の戸枠表面とその内側の格子状の桟表面に亙って貼り付けられた帯状をした障子紙を、戸枠に沿って戸枠の表面の内側で直線状に切断するのに用いられる。
【００１４】
この障子紙切断器は、手で握ることの可能な部分と障子の枠の面に当接する部分とから成っている。
【００１５】
手で握る部分は、両側にガイド壁２を設けた平板１であり、その中央部にボルトを差し込むネジ穴３が穿設されている。障子の枠の面に当接する部分は前記平板１の先端部を直角に折り曲げた折り曲げ部４を介して折り曲げ片５とし、その折り曲げ片５の面は障子の枠の測面２０と密接する面として形成される。これが図１に示すガイド板６として構成されている。
【００１６】
このガイド板６には、平板１の両側に設けられたガイド壁２の間にスライド板７が取付けられる。ガイド板６に取付けられるスライド板７は、先端部に、ガイド板６に形成された折り曲げ片５と平行にカッターの刃先を差し込む穴８を穿設し、基部側には前記ガイド板６の平板に穿設されたネジ穴３をのぞかせて成る細長溝９が前記ガイド板６のガイド壁２に沿った細長溝９として穿設されている。
【００１７】
このガイド板６とスライド板７とは、ガイド板６の平板１の部分の両側の設けられたガイド壁２の間スライド板７をはめ込む。
【００１８】
この状態でボルト１１をスライド板７の細長溝９側からガイド板６のネジ穴３に挿通する。ガイド板６のネジ穴３側にはナット１２を以て、前記ボルト１１の先端を螺着するようにしている。
【００１９】
従って、前記ボルト１１を螺着しているナット１２の締付を操作することによってスライド板７を前記細長溝９にボルト１１を挿通した状態でガイド板６の平板１の部分の面を摺動させてスライド板７に取り付けられたカッターの刃先を差し込む穴８の位置をガイド板６の折り曲げ片５から遠ざけたり近づけたりしてしてその定着位置を決め、その位置が決まった段階でナット１１を締め付けてその位置を固定することができる。
【００２０】
次に、本発明にかかる障子紙切断器を以て、障子紙を切断する作業を行う場合の説明をする。
障子の戸枠２０表面とその内側に組込まれた格子状の桟２１表面とに亙って貼り付けられた帯状の障子紙２２の延長部の面を前記戸枠２０の角面に押し当てる。
この状態の下で、本発明にかかる障子紙切断器のガイド板６の折り曲げ片５を、前記した障子紙を貼り付けた戸枠２０の角面に押し当てる。
この場合、スライド板７の先端部の面は障子紙２２を貼り付けた戸枠２０の障子紙貼り付け面を押さえる状態で戸枠２０の障子紙貼り付け面に当接する。
従って、障子の戸枠２０に貼り付けた障子紙２２の面は、障子の戸枠２０の障子紙貼り付け面に対してガイド板６の折り曲げ片５の面とスライド板７の先端で前記戸枠２０の角で直角に押さえることになる。
当接するスライド板７の先端にカッターの刃先を差し込む穴８の位置は、障子の戸枠２０に貼り付けられた障子紙を、障子の戸枠２０の角からどの位離れた個処で障子の戸枠２０に平行して切断するかによって決まる。
【００２１】
従って、スライド板７の先端に設けられたカッターの刃先を差し込む穴８の位置をガイド板６の折り曲げ片５からどの位離して位置させるかを予め決めてその位置調節は前記したスライド板の細長溝からガイド板のボトル穴を挿通したボトルとナットの締付具合を調整してスライド板の細長溝によってスライド板を移動して行うことになる。
【００２２】
スライド板のカッター差し込み穴の位置が決まったとき、前記ボルト１１とナット１２の締付けで、スライド板７をガイド板６に固定し、スライド板７の先端に設けられたカッターの刃先を差し込む穴８にカッター１３の先端を差し込んで、ガイド板６の折り曲げ片５を障子の戸枠２０角面に押し当てた状態で、ガイド板６とスライド板７を障子の戸枠の側面に沿って移動する。
【００２３】
この操作によって、前記カッター１３の刃先が障子の戸枠２０に貼り付けられた障子紙２２を障子の戸枠２０の角に沿った巾で、障子紙を切断することになる。
【００２４】
図示実施例では、カッターの刃先を差し込む穴をスライド板の中央先端部に設けた構造を図示したが、カッターの刃先を差し込む穴は、スライド板の側辺に切り込みとして設けても差し支えないことは勿論である。
この場合には、カッターの刃先は、前記した切り込みに差し込むことになる。
【図面の簡単な説明】
【００２５】
【図１】本発明にかかる障子紙切断器の斜視図
【図２】本発明にかかる障子紙切断器の使用状態を示す断面図
【符号の説明】
【００２６】
１．平板
２．ガイド壁
３．ネジ穴
４．折り曲げ部
５．折り曲げ片
６．ガイド板
７．スライド板
８．カッターの刃先を差し込む穴
９．細長溝
１１．ボルト
１２．ナット
１３．カッター
２０．戸枠
２１．桟
２２．障子紙
【図１】
2005073999.tif 000003
【図２】
2005073999.tif 000004